(57)【要約】【課題】  従来のアンプ回路を内蔵した自動絞りレンズを組み合わせられるテレビジョンカメラは、レンズ側の機構でレベル調整、測光重み付け調整をするため、例えばカメラに組み込んで更にハウジング等に組み込んでしまうと、設置したシーン（被写体の状態）によってユーザーの観たい部分が鮮明に撮影されないような場合、調整ができない。【解決手段】  本発明は、上記問題点を解決するため、アンプ回路を内蔵した自動絞りレンズに入力する映像信号の信号レベルを制御（増幅、減衰）できる回路をテレビジョンカメラ内部に有し、またレベル制御（増幅、減衰）回路をリモートコントロールできる回路構成とすることで実現できる。【選択図】  図１
2005286673.tif 000002
【特許請求の範囲】
【請求項１】
レンズ部と該レンズ部からの入射光を撮像し映像信号を出力する撮像部とを備えるテレビジョンカメラにおいて、
外部からアイリス制御用の信号を入力することにより上記レンズ部に制御信号を出力する制御ユニットと、
該制御信号に基づいて、上記レンズ部の絞りを制御することを特徴とするテレビジョンカメラ。
【請求項２】
請求項１記載のテレビジョンカメラにおいて、
上記制御ユニットから出力される制御信号に応じて、少なくとも、絞り調整、または、測光重み付調整のいずれかを制御することを特徴とするテレビジョンカメラ。
【発明の詳細な説明】
【技術分野】
【０００１】
本発明は、テレビジョンカメラに関し、特にアンプ回路を内蔵した自動絞りレンズと組合わせたテレビジョンカメラに関する。
【背景技術】
【０００２】
図３は、従来のテレビジョンカメラの簡単な構成を示す図である。
図３において、被写体からの入射光 10 がレンズ部 11 に入射する。レンズ部 11 は入射光 10 の光量を調整して結像し、撮像部 12 の CCD（ Charge Coupled Device ）撮像素子 121 に出力する。CCD 撮像素子 121 は、入射された入射光を撮像して電気信号（映像信号）に変換して CDS（相関２重サンプリング）＆ AGC（ Automatic Gain Control ）部 122 及び CDS 部 126 に出力する。CDS ＆ AGC 部 122 は、入力された映像信号から雑音を除去し利得を適応的に調整して DSP（ Digital Signal Processor ）123 に出力する。DSP 123 は、入力された映像信号に種々の画像処理を施してエンコーダ（ ENC ）124 に出力する。ENC 124 は、NTSC（ National Television System Committee ）方式や PAL（ Phase Alternating （by） Line ）方式等のカラーテレビの方式に映像信号を変換して、出力端子 125 から出力する。出力端子には、例えば、モニタ 13 が結合されテレビジョンカメラの画像が表示される。
【０００３】
CDS 部 126 は、入力された映像信号をレンズ部 11 のアイリス制御用にクランプして、制御信号をレンズ部 11 のアンプ回路 113 に出力する。
アンプ回路 113 は、与えられた制御信号に基づいてアイリス制御を行う。アイリス制御の詳しい内容については、例えば、特許文献１に記載がある。
【０００４】
上述のような、従来のアンプ回路を内蔵した自動絞りレンズを組み合わせられるテレビジョンカメラは、レンズ部 11 に取付けられた機構でレベル調整、測光重み付け調整をする必要がある。例えば、ボリューム（ VR ）111 は測光重み付け調整用のボリュームで、VR 112 はレベル調整用のボリュームである。
このため、例えば、テレビジョンカメラに組み込んで更にハウジング等に組み込んでしまうと、例えば図４(a) のようにモニタ 13 に表示（撮像）されていた画像が、設置したシーン（被写体の状態）によって、例えばユーザーの観たい（注目したい）部分が図４(b) に示すような画像であっても、簡単には調整ができないため、鮮明に撮影されず、モニタ 13 の表示がユーザの望む画像とならない。
【０００５】
【特許文献１】平成８年特許願第１８１９０７号公報
【発明の開示】
【発明が解決しようとする課題】
【０００６】
上述の従来技術では、レンズ部側の機構でレベル調整、測光重み付け調整をして、例えばハウジング等に組み込んだ後、設置したシーン（被写体の状態）によってユーザーの観たい部分が鮮明に撮影されないような場合には、調整が困難であった。
本発明の目的は、ハウジングからテレビジョンカメラを外すことなくカメラの設定メニュー調整やテレビジョンカメラ経由したリモートコントロールにてレンズ絞り（レベル）調整を可能とすることにある。
【課題を解決するための手段】
【０００７】
上記の問題を解決するために、本発明のテレビジョンカメラは、アンプ回路を内蔵した自動絞りレンズに入力する映像信号の信号レベルを制御（増幅、減衰）できる回路をテレビジョンカメラ内部（例えば、撮像部）に有し、またレベル制御（増幅、減衰）回路をリモートコントロールできる回路構成としたものである。
【０００８】
即ち、本発明のテレビジョンカメラは、レンズ部とレンズ部からの入射光を撮像し映像信号を出力する撮像部とを備えるテレビジョンカメラにおいて、外部からアイリス制御用の信号を入力することによりレンズ部に制御信号を出力する制御ユニットと、制御信号に基づいて、レンズ部の絞りを制御することを特徴とする。
また本発明の一側面のテレビジョンカメラは、レンズ部にアンプユニットを備え、制御ユニットから出力される制御信号に応じて、少なくとも、絞り調整、または、測光重み付調整のいずれかを制御することを特徴とする。
【発明の効果】
【０００９】
本発明によれば、テレビジョンカメラから映像信号を入力し、絞り制御に変換するアンプ回路を内蔵した自動絞りレンズを組み合わせたテレビジョンカメラにおいて、レンズ部側で制御しているアンプ回路動作、絞り（レベル）調整、及び測光重み付調整について、絞り（レベル）調整、測光重み付け調整をカメラ経由して外部からリモート制御可能とすることが可能となった。
【発明を実施するための最良の形態】
【００１０】
本発明による実施例を、図１と図２によって説明する。図１は、本発明のテレビジョンカメラの一実施例の簡単な構成を示す図である。なお、図１は、本発明テレビジョンカメラの説明に必要な部分のみを記載している。また図２は、本発明のテレビジョンカメラの一実施例の画像表示例を説明するための図である。
図１において、21 はアンプ回路 213 を内蔵した自動絞りレンズ部、121はレンズ部 21 から入射した光を電気信号に変換する CCD 撮像素子、226 はCCD 撮像素子 121 の出力信号をレンズ部 21 のアイリス制御用にクランプする CDS 部、230 は外部からレンズ部 21 のレンズ絞りを制御するためのリモート端子、227 はアイリス制御用 CDS 部 226 の出力信号のレベルを制御し、テレビジョンカメラの出力レベルを調整するレベル制御回路である。
【００１１】
図１において、被写体からの入射光 10 がレンズ部 21 に入射する。レンズ部 21 は、入射光 10 を撮像部 22 の CCD（ Charge Coupled Device ）撮像素子 121 に出力する。CCD 撮像素子 121 は、入射された入射光を撮像して電気信号（映像信号）に変換して CDS（相関２重サンプリング）＆ AGC（ Automatic Gain Control ）部 122 及び CDS 部 226 に出力する。CDS ＆ AGC 部 122 以降の処理は、従来技術の図３で説明した通りなので、説明を省略する。
【００１２】
CDS 部 226 は、入力された映像信号をレンズ部 21 のアイリス制御用にクランプしてレベル制御回路 227 に出力する。レベル制御回路 227 は、入力された信号を適応的に増幅または減衰してアイリスビデオ信号とし、レンズ部 21 のアンプ回路 213 に出力する。アンプ回路 213 は、入力されたアイリスビデオ信号に基づいてレンズ部 21 のレベル調整を行う。
【００１３】
また、レベル制御回路 227 は、リモート端子 230 を介してユーザが、例えば、モニタ 13 に表示される画像を見ながら絞りを変更（増幅または減衰）したい、場合に、リモート端子 230 からインターネット、操作器等によって、アイリスビデオ信号レベルを外部制御するリモートコントロール信号が入力された時に、レンズ部 21 にリモートコントロール信号に対応した制御信号（アイリスビデオ信号レベル）を出力する。このように、VR 112 と同じ動作をレンズ部 21 にさせることによって、制御信号をレンズ部 11 のアンプ回路 113 に出力する。
【００１４】
アンプ回路 113 は、与えられた制御信号に基づいてアイリス制御を行う。
以上のように、リモート端子 230 から、ユーザがモニタ 13 等によって、画像の状態を確認しながらレンズの絞りを調整することによって、最初図２(a) のようにモニタ 13 に表示されていた画像が、図２(b) に示すように撮像できるため、表示された画像のユーザが観たい部分を鮮明に映し出すように、容易に調整することができる。
【００１５】
本発明の他の実施例として、例えば、測光エリアの（例えば、図２の注目したい部分 232 ）を位置または大きさを変更したいと考えた場合は、ユーザが、例えば、GUI（ Graphical User Interface ）操作等にとって、モニタ 13 の画面上で測光エリアを動かすことによってリモート端子 230 から信号を入力し、VR 111 と同様の機能を持たせることができる。
この測光エリアは、上記のほか、別に指定している部分であっても良い。
【図面の簡単な説明】
【００１６】
【図１】本発明のテレビジョンカメラの一実施例の簡単な構成を示す図。
【図２】本発明のテレビジョンカメラの一実施例の画像表示例を説明するための図。
【図３】従来のテレビジョンカメラの簡単な構成を示す図。
【図４】従来のテレビジョンカメラの画像を説明するための図。
【符号の説明】
【００１７】
10：入射光、  11，21：レンズ部、  12，22：撮像部、  13：モニタ、  111，112：VR、  113，213：アンプ回路、  121：CCD撮像素子、  122：CDS＆AGC、  123：DSP、  124：ENC、  125：出力端子、  126，226：CDS、  227：レベル制御回路、  230：リモート端子。
【図１】
2005286673.tif 000003
【図２】
2005286673.tif 000004
【図３】
2005286673.tif 000005
【図４】
2005286673.tif 000006